(57)【要約】【課題】  着信先の通信端末が通信行うことができない場合に、当該着信先の通信端末との接続要求が通信網に対して送信されることを低減する通信制御システム及び通信制御方法を提供する。【解決手段】  本発明に係る通信制御システムは、発信元通信端末から、少なくとも着信先通信端末を特定する情報と、着信先通信端末との接続条件とから構成される予約情報を取得する予約処理部１０１と、予約情報に基づいて、着信先通信端末の状態が、接続条件に合致するか状態に変化したか否かを判定するサービス起動条件判定部１０５と、着信先通信端末の状態が接続条件に合致する状態に変化したと判定された場合、発信元通信端末と着信先通信端末とに発呼して、通信路を設定する呼制御部３０１及びコネクション結合部３０３とを備える。【選択図】  図２
2005086544.tif 000002
【特許請求の範囲】
【請求項１】
発信元通信端末から、少なくとも着信先通信端末を特定する情報と、着信先通信端末との接続条件とから構成される予約情報を取得する予約情報取得部と、
前記予約情報取得部によって取得された予約情報に基づいて、前記着信先通信端末の状態が、前記接続条件に合致する状態に変化したか否かを判定する接続条件判定部と、
前記接続条件判定部によって前記着信先通信端末の状態が前記接続条件に合致する状態に変化したと判定された場合、前記発信元通信端末に発呼し、前記発信元通信端末と第１の通信コネクションを設定するとともに、前記着信先通信端末に発呼し、前記着信先通信端末と第２の通信コネクションを設定して、前記第１の通信コネクションと前記第２の通信コネクションとを結合する通信路設定部と
を備えることを特徴とする通信制御システム。
【請求項２】
前記通信路設定部は、前記第２の通信コネクションを設定した後に、前記第１の通信コネクションを設定することを特徴とする請求項１に記載の通信制御システム。
【請求項３】
前記通信路設定部による前記第２の通信コネクションの設定ができなかった場合、前記着信先通信端末の状態を前記発信元通信端末に通知する状態通知送信部をさらに備えることを特徴とする請求項１または２に記載の通信制御システム。
【請求項４】
発信元通信端末から、少なくとも着信先通信端末を特定する情報と、着信先通信端末との接続条件とから構成される予約情報を取得する予約情報取得部と、
前記予約情報取得部によって取得された予約情報に基づいて、前記着信先通信端末の状態が、前記接続条件に合致する状態に変化したか否かを判定する接続条件判定部と、
前記接続条件判定部によって前記着信先通信端末の状態が前記接続条件に合致する状態に変化したと判定された場合、前記着信先通信端末との通信が可能なことを示す通信可能通知を前記発信元通信端末に送信する通信可能通知送信部と
を備えることを特徴とする通信制御システム。
【請求項５】
発信元通信端末と着信先通信端末との通信を制御する通信制御システムにおいて用いられる通信制御方法であって、
前記発信元通信端末から、少なくとも前記着信先通信端末を特定する情報と、前記着信先通信端末との接続条件とから構成される予約情報を取得するステップと、
取得された予約情報に基づいて、前記着信先通信端末の状態が、前記接続条件に合致する状態に変化したかか否かを判定するステップと、
前記判定するステップによって前記着信先通信端末の状態が前記接続条件に合致する状態に変化したと判定された場合、前記発信元通信端末に発呼し、前記発信元通信端末と第１の通信コネクションを設定するとともに、前記着信先通信端末に発呼し、前記着信先通信端末と第２の通信コネクションを設定して、前記第１の通信コネクションと前記第２の通信コネクションとを結合するステップと
を備えることを特徴とする通信制御方法。
【発明の詳細な説明】
【技術分野】
【０００１】
本発明は、発信元の通信端末と、着信先の通信端末との通信を制御する通信制御システム及び通信制御方法に関する。
【背景技術】
【０００２】
従来、電話交換網などの通信網では、発信元の通信端末が、着信先の通信端末を特定して、着信先の通信端末との接続要求を通信網に送信、すなわち発呼することにより、通信端末間の通信路が設定される。
【０００３】
このような従来の通信網では、発信元の通信端末は、通信網に接続要求を送信する時点では、着信先の通信端末との通信路を設定できるか否かを認識することができない。このため、発信元の通信端末から送信された接続要求を通信網が処理することができない場合でも、通信端末から接続要求が随時送信されるという問題があった。
【０００４】
そこで、通信網が輻輳しているために接続要求を処理することができない場合、通信網上に配備された通信予約装置が、発信元の通信端末に対して、再発信までの待ち時間を指定し、発信元の通信端末が、指定された待ち時間後に再度、接続要求を送信することにより、通信網が処理することができない接続要求の数を低減させることが提案されている（例えば、特許文献１）。
【特許文献１】特開２００１−２５１４２４号公報
【発明の開示】
【発明が解決しようとする課題】
【０００５】
しかしながら、上述した背景技術では、通信網が、着信先の通信端末の状態に起因して発信元からの接続要求を処理することができない場合、例えば、着信先の通信端末の通信中に通信網に送信される当該着信先の通信端末との接続要求の数を低減することができないといった問題があった。
【０００６】
また、着信先の通信端末が、携帯電話端末などの無線通信端末である場合には、当該無線通信端末が、無線基地局と通信が可能なエリアに在圏していない場合や、無線通信端末の電源が投入されていない場合であっても、当該無線通信端末への接続要求が通信網に送信されるといった問題もあった。
【０００７】
そこで、本発明は、以上の点に鑑みてなされたもので、着信先の通信端末が通信行うことができない場合に、当該着信先の通信端末との接続要求が通信網に対して送信されることを低減する通信制御システム及び通信制御方法を提供することを目的とする。
【課題を解決するための手段】
【０００８】
上記課題を解決するために、本発明は、以下のような特徴を有している。まず、本発明の第１の特徴は、発信元通信端末から、少なくとも着信先通信端末を特定する情報と、着信先通信端末との接続条件とから構成される予約情報を取得する予約情報取得部と、前記予約情報取得部によって取得された予約情報に基づいて、前記着信先通信端末の状態が、前記接続条件に合致する状態に変化したか否かを判定する接続条件判定部と、前記接続条件判定部によって前記着信先通信端末の状態が前記接続条件に合致する状態に変化したと判定された場合、前記発信元通信端末に発呼し、前記発信元通信端末と第１の通信コネクションを設定するとともに、前記着信先通信端末に発呼し、前記着信先通信端末と第２の通信コネクションを設定して、前記第１の通信コネクションと前記第２の通信コネクションとを結合する通信路設定部とを備える通信制御システムであることを要旨とする。
【０００９】
かかる特徴によれば、接続条件判定部が、着信先の通信端末を特定する情報（例えば、着信先の通信端末が電話端末であれば、当該電話端末の電話番号）と、接続条件（例えば、当該電話端末を用いた通話が終了した場合）とから構成される予約情報に基づいて、着信先の通信端末の状態を判定し、着信先の通信端末の状態が、接続条件に合致する状態に変化した場合、通信路設定部が、発信元の通信端末と、着信先の通信端末との通信路を設定する。
【００１０】
このため、着信先の通信端末が通信を行うことができない状態のときに、発信元の通信端末の利用者が、当該着信先の通信端末との接続要求を通信網に送信することを低減することができる。
【００１１】
さらに、かかる特徴によれば、着信先の通信端末が通信を行うことができない状態にときに、発信元の通信端末の利用者が、当該着信先の通信端末との接続要求を送信することが低減されるため、接続要求の数に対する接続完了数の割合、すなわち接続率が向上するとともに、処理することのできない接続要求によって通信網に対する負荷が増大することを抑制することができる。
【００１２】
また、かかる特徴によれば、通信制御システムが、着信先の通信端末の状態が、接続条件と合致する状態に変化した場合、発信元と着信先の通信端末間に通信路を設定するため、発信元の通信端末の利用者は、着信先の通信端末に対して、適宜接続要求を送信、つまり再発呼する必要がなく、利用者の利便性が向上する。
【００１３】
本発明の第２の特徴は、本発明の第１の特徴において、前記通信路設定部が、前記第２の通信コネクションを設定した後に、前記第１の通信コネクションを設定することを要旨とする。
【００１４】
かかる特徴によれば、着信先の通信端末との通信コネクションを設定し、その後、発信元の通信端末との通信コネクションが設定されるため、通信コネクションの設定時に、着信先の通信端末の状態が再び通信を行うことができない状態となっていた場合に、発信元の通信端末との通信コネクションを設定してしまうことを防止することができる。
【００１５】
本発明の第３の特徴は、本発明の第１または第２の特徴において、前記通信路設定部による前記第２の通信コネクションの設定ができなかった場合、前記着信先通信端末の状態を前記発信元通信端末に通知する状態通知送信部をさらに備えることを要旨とする。
【００１６】
かかる特徴によれば、発信元の通信端末と、着信先の通信端末との接続が実行できなかった場合、着信先の通信端末の状態（例えば、通話中）が発信元の通信端末に通知されるため、発信元の通信端末の利用者は、着信先通信端末の状態を認識することができる。
【００１７】
本発明の第４の特徴は、発信元通信端末から、少なくとも着信先通信端末を特定する情報と、着信先通信端末との接続条件とから構成される予約情報を取得する予約情報取得部と、前記予約情報取得部によって取得された予約情報に基づいて、前記着信先通信端末の状態が、前記接続条件に合致する状態に変化したか否かを判定する接続条件判定部と、前記接続条件判定部によって前記着信先通信端末の状態が前記接続条件に合致する状態に変化したと判定された場合、前記着信先通信端末との通信が可能なことを示す通信可能通知を前記発信元通信端末に送信する通信可能通知送信部とを備える通信制御システムであることを要旨とする。
【００１８】
かかる特徴によれば、「通信可能通知」が発信元の通信端末に通知されるため、発信元の通信端末の利用者は、着信先の通信端末との通信、或いは着信先の通信端末に対する情報の送信などが可能になったことを速やかに認識することができる。
【００１９】
本発明の第５の特徴は、発信元通信端末と着信先通信端末との通信を制御する通信制御システムにおいて用いられる通信制御方法であって、前記発信元通信端末から、少なくとも前記着信先通信端末を特定する情報と、前記着信先通信端末との接続条件とから構成される予約情報を取得するステップと、取得された予約情報に基づいて、前記着信先通信端末の状態が、前記接続条件に合致する状態に変化したかか否かを判定するステップと、前記判定するステップによって前記着信先通信端末の状態が前記接続条件に合致する状態に変化したと判定された場合、前記発信元通信端末に発呼し、前記発信元通信端末と第１の通信コネクションを設定するとともに、前記着信先通信端末に発呼し、前記着信先通信端末と第２の通信コネクションを設定して、前記第１の通信コネクションと前記第２の通信コネクションとを結合するステップとを備えることを要旨とする。
【発明の効果】
【００２０】
本発明によれば、着信先の通信端末が通信行うことができない場合に、当該着信先の通信端末との接続要求が通信網に対して送信されることを低減する通信制御システム及び通信制御方法を提供することができる。
【発明を実施するための最良の形態】
【００２１】
以下、本発明の実施形態について、図面を参照しながら説明する。
【００２２】
（本実施形態に係る通信制御システムを含むネットワーク構成）
図１は、本実施形態に係る通信制御システムを構成する通信制御装置１００と、通信ノード３００ａとを含むネットワーク構成の概略を示している。
【００２３】
同図に示すように、通信制御装置１００は、通信ノード３００ａと、通信ノード３００ａ〜通信ノード３００ｃによって構成される通信網ならびに当該通信網を利用する通信端末５００及び通信端末５１０の状態を監視するネットワーク管理装置２００と通信が行えるように接続されている。
【００２４】
通信制御装置１００は、着信先の通信端末との通信の予約情報と、着信先の通信端末の状態が変化したことに基づいて、発信元の通信端末と、着信先の通信端末との通信路の設定を通信ノード３００ａに要求するものである。
【００２５】
通信ノード３００ａは、通信ノード３００ｂと、通信ノード３００ｃとに接続され、通信ノード３００ｂ及び通信ノード３００ｃとともに、通信端末５００及び通信端末５１０に対する通信サービスを提供するものであり、本実施形態では、通信制御装置１００からの要求に基づいて、通信端末５００と通信端末５１０との通信路を設定する。
【００２６】
通信ノード３００ｂは、本実施形態では、無線基地局４００を介して、通信ノード３００ａ〜通信ノード３００ｃによって構成される通信網を利用する通信端末５００に対する呼や通信端末５００によって生起される呼を制御する通信制御局（RNC）や交換機などによって構成されている。また、通信端末５００は、本実施形態では、例えば、PDC（Personal Digital Celluar）方式やCDMA（Code Division Multiple Access）方式の携帯電話端末である。
【００２７】
通信ノード３００ｃは、本実施形態では、メタリック加入者回線を介して通信端末５１０を接続する加入者線交換機や音声信号や制御信号などを伝送する伝送装置などによって構成されている。また、通信端末５１０は、本実施形態では、一般的な加入電話端末、いわゆる固定電話端末である。
【００２８】
なお、本実施形態では、通信ノード３００ａ〜通信ノード３００ｃによって、携帯電話端末である通信端末５００と、固定電話端末である通信端末５１０とが利用できる通信網を構成しているが、通信網は、より多くの通信ノード、すなわち交換機や伝送装置などによって構成されてもよいことは勿論である。
【００２９】
ネットワーク管理装置２００は、通信ノード３００ａ〜通信ノード３００ｃから、通信網の状態、例えば、交換機や伝送装置から送信される警報や、当該交換機などの状態を示す情報を取得して、管理するものである。また、ネットワーク管理装置２００は、本実施形態では、通信ノード３００ａ〜通信ノード３００ｃから取得した警報や情報に基づいて、通信端末５００及び通信端末５１０の状態を示す情報、例えば、通信端末５００が、無線基地局４００の通信圏内に在圏しているか否かを示す情報や、アイドル状態、すなわち、通信中でないことを示す情報を通信制御装置１００に送信する。
【００３０】
（通信制御装置及び通信装置の論理ブロック構成）
次に、本実施形態に係る通信制御装置及び通信装置の論理ブロック構成について説明する。
【００３１】
図２に示すように、通信制御装置１００は、予約処理部１０１と、予約情報格納部１０３と、サービス起動条件判定部１０５と、サービス起動通知部１０７と、呼処理要求部１０９とから構成されている。なお、本実施形態では、通信制御装置１００は、単一のハードウェア、すなわち、サーバコンピュータを用いて構成されることとしているが、通信制御装置１００は、ブロック毎に異なるハードウェアを用いて、構成されてもよい。
【００３２】
予約処理部１０１は、発信元の通信端末、例えば、通信端末５１０から、少なくとも着信先の通信端末、例えば通信端末５００を特定する情報と、前記通信端末５００との接続条件とから構成される予約情報を取得するものであり、本実施形態では、予約情報取得部を構成する。以下、本実施形態では、通信端末５１０を発信元の通信端末、通信端末５００を着信先の通信端末として説明する。
【００３３】
具体的には、予約処理部１０１は、通信端末５１０から、例えば、通信端末５００の電話番号と、通信端末５００が無線基地局４００の通信圏内に移動したら通信端末５００と接続するといった接続条件とから構成される予約情報を取得する。
【００３４】
予約処理部１０１は、通信端末５１０が、通信端末５００との接続要求を通信網に対して送信、つまり発呼したものの、通信端末５００が通信圏内に在圏していないなどの状態により、通信端末５００と通信端末５１０との通信路が設定できなかった場合、通信端末５１０と通信ノード３００ａとの間に、当該発呼に伴って設定された通信コネクションを利用して、通信端末５１０から予約情報を取得することができる。
【００３５】
さらに、予約処理部１０１は、通信端末５１０による通信制御装置１００宛ての発呼に応答して、予約情報を取得することもできる。
【００３６】
また、予約処理部１０１は、通信端末５１０からの予約情報の取得方法として、通信端末５１０に対して送信する音声トーキーと、通信端末５１０から送信されるPB信号とを用いる方法や、通信端末５１０がパケット通信機能を備えている場合には、HTTP（Hyper Text Transfer Protocl）やSIP（Session Initiation Protocol）を用いたパケット通信による方法を提供することができる。なお、予約情報を送信する通信端末が、携帯電話端末である場合には、3GPP（3rd Generation Partnership Project）によって規定される非構造付加サービスデータ（USSD）を用いて予約情報を取得してもよい。
【００３７】
予約情報格納部１０３は、予約処理部１０１によって取得された予約情報を格納するものである。ここで、図３は、予約情報格納部１０３に格納される予約情報の例を示している。
【００３８】
同図に示すように、予約情報は、「予約者」（図中の予約者Ａ）の電話番号、つまり、通信端末５１０の電話番号（03-xxxx-xxxx）と、「着信先」、つまり、通信端末５００の電話番号（090-yyyy-yyyy）と、通信端末５００との「接続条件」とから構成されている。なお、予約情報は、予約者毎に管理され、「着信先」と、当該着信先との接続条件との組合せを複数有してもよい。さらに、ひとつの「着信先」に対して、複数の「接続条件」、例えば、着信先の通信端末による通信が終了した場合と、指定した接続日時とを指定してもよい。
【００３９】
また、通信端末５１０の利用者に、通信端末５００との通信が可能になったことを示す「通信可能通知」を送信するため、予約情報格納部１０３は、「通知先」の情報、例えば、通信端末５１０が電子メールを送受する機能を備えている場合には、通信端末５１０に割り当てられている電子メールアドレスを登録することもできる。
【００４０】
さらに、同図に示すように、予約情報に含まれる接続条件を満たす場合、通信制御装置１００は、次の何れかの処理を実行することができる。すなわち、（１）通信端末５１０に通知を送信する、（２）通信端末５１０に通知を送信するとともに、通信端末５００と通信端末５１０との通信路を設定する、或いは、（３）通信端末５１０に通知を送信せずに、通信端末５００と通信端末５１０との通信路を設定する。
【００４１】
また、予約情報格納部１０３は、通信端末５００と通信端末５１０との間に設定される通信路の種別、例えば、音声通信路、ＴＶ電話サービスなどに適用される音声通信路及び動画像通信路、またはパケット通信路の種別を予約情報として格納してもよい。
【００４２】
また、発信元の通信端末及び着信先の通信端末を特定する情報は、当該電話端末の電話番号でなくてもよい。例えば、通信端末が、SIPを用いたインターネット電話端末である場合には、URI（Uniform Resource Indicator）を用いることができる。さらに、予約情報格納部１０３が、通信端末の電話番号と、当該通信端末を利用する利用者のID情報、例えば、利用者のニックネームとを対応付ける情報を管理し、当該ID情報を通信端末から取得して、格納してもよい。
【００４３】
サービス起動条件判定部１０５は、予約処理部１０１によって取得された予約情報に基づいて、着信先の通信端末、つまり、通信端末５００の状態が、予約情報に含まれる接続条件に合致する状態に変化したか否かを判定するものであり、本実施形態では、接続条件判定部を構成する。
【００４４】
具体的には、サービス起動条件判定部１０５は、予約処理部１０１によって取得された予約情報に基づいて、通信端末５００の状態に変化があった場合に情報を送信するように、ネットワーク管理装置２００に要求する。
【００４５】
さらに、サービス起動条件判定部１０５は、ネットワーク管理装置２００から送信された通信端末５００の状態を示す情報を用いて、通信端末５００の状態が、予約情報格納部１０３に格納されている「接続条件」に合致するか否かを判定する。また、サービス起動条件判定部１０５は、通信端末５００の状態が、当該接続条件に合致したことをサービス起動通知部１０７または呼処理要求部１０９に送信する。
【００４６】
なお、本実施形態では、ネットワーク管理装置２００から通信端末５００の状態に変化があったことを示す情報が送信されたとき、つまりイベント発生時に「接続条件」に合致するか否かを判定するが、サービス起動条件判定部１０５は、例えば、ネットワーク管理装置２００または通信ノード３００ａから随時送信される通信端末５００に関する情報を常時監視して、「接続条件」に合致するか否かを判定してもよい。
【００４７】
サービス起動通知部１０７は、サービス起動条件判定部１０５によって通信端末５００の状態が接続条件に合致する状態に変化したと判定された場合、通信端末５００との通信が可能なことを示す「通信可能通知」を通信端末５１０に送信するものであり、本実施形態では、通信可能通知送信部を構成する。
【００４８】
また、サービス起動通知部１０７は、通信ノード３００ａから、呼処理要求部１０９による接続要求に基づく通信端末５００と通信端末５１０との接続が実行できなかったことが通知された場合、通信端末５００の状態を通信端末５１０に通知するものであり、本実施形態では、状態通知送信部を構成する。
【００４９】
具体的には、サービス起動通知部１０７は、電子メールを送信、または通信ノード３００ａに通信端末５１０との通信路の設定を要求し、設定された通信路を利用して音声トーキーを通信端末５１０に送信することにより、通信端末５００との通信が可能となったこと、または通信端末５００の状態を通知することができる。
【００５０】
呼処理要求部１０９は、サービス起動条件判定部１０５によって通信端末５００の状態が接続条件に合致する状態に変化したと判定された場合、通信端末５００と通信端末５１０とに発呼して、通信端末５００と通信端末５１０との通信路を設定することを通信ノード３００ａに要求するものである。
【００５１】
次に、通信ノード３００ａの論理ブロック構成について説明する。図２に示すように、通信ノード３００ａは、呼制御部３０１と、コネクション結合部３０３と、サービス開始要求部３０５とから構成されている。
【００５２】
呼制御部３０１は、呼処理要求部１０９による要求に基づいて、通信端末５００及び通信端末５１０にそれぞれ発呼して、通信端末５００との通信コネクション（第２の通信コネクション）及び通信端末５１０との通信コネクション（第１の通信コネクション）を設定するものである。なお、以下、本実施形態において、通信コネクションは、通信ノード３００ａと通信端末との間に設定され、通信路は、通信端末間において設定されるものとして説明する。
【００５３】
コネクション結合部３０３は、呼制御部３０１によって設定された通信コネクションを結合し、通信端末５００と通信端末５１０との通信路を設定するものである。
【００５４】
なお、本実施形態では、呼制御部３０１と、コネクション結合部３０３とによって、サービス起動条件判定部１０５によって通信端末５００の状態が接続条件に合致する状態に変化したと判定された場合、通信端末５１０に発呼し、通信端末５１０と第１の通信コネクションを設定するとともに、通信端末５００に発呼し、通信端末５００と第２の通信コネクションを設定して、第１の通信コネクションと第２の通信コネクションとを結合する通信路設定部を構成する。
【００５５】
サービス開始要求部３０５は、コネクション結合部３０３によって通信端末５００と通信端末５１０との通信路が設定された場合であって、かつ予約情報格納部１０３に格納されている予約情報に、特定の制御が必要なサービス（例えば、ＴＶ電話サービス）を利用することが示されている場合、当該サービスの制御システムに、必要な制御を開始することを要求するものである。
【００５６】
（通信制御方法）
次に、上述した本実施形態に係る通信制御装置及び通信装置を用いた通信制御方法について説明する。
【００５７】
図４は、通信端末５１０が、着信先の通信端末である通信端末５００との通信を通信制御装置１００に予約し、通信制御装置１００及び通信ノード３００ａが、通信端末５１０によって指定された予約情報と、通信端末５００の状態が変化したことに基づいて、通信端末５１０に接続可能通知を送信するとともに、通信端末５１０と通信端末５００との通信路を設定する通信シーケンスを示している。
【００５８】
ステップＳ１０において、通信端末５１０は、通信制御装置１００に発呼し、着信先の通信端末である通信端末５００の電話番号及びメールアドレスと、通信端末５００との接続条件と指定する。ここで、通信端末５１０は、「接続条件」として、「通信端末５００が通信圏内に移動したら通知・接続」（図３参照）を指定したものとする。なお、上述したように、通信端末５１０は、通信制御装置１００から送信される音声トーキーにしたがったPB信号の送信、パケット通信或いはUSSDを用いて、接続条件などを指定することができる。
【００５９】
ステップＳ２０において、通信制御装置１００は、通信端末５１０によって指定された内容を取得するとともに、当該内容を予約情報として格納する。
【００６０】
ステップＳ３０において、通信制御装置１００は、予約情報が格納され、通信端末５００との通信の予約が完了したことを通信端末５１０に通知する。
【００６１】
ステップＳ４０において、通信制御装置１００は、当該予約情報に基づいて、通信端末５００の状態の変化を示す情報を送信するように、ネットワーク管理装置２００に要求する。
【００６２】
ステップＳ５０において、ネットワーク管理装置２００は、通信端末５００の状態の変化を示す情報、ここでは、通信ノード３００ｂと通信ノード３００ａとを介して取得した通信端末５００が通信圏内に移動したことを示す情報を、通信制御装置１００に送信する。
【００６３】
ステップＳ６０において、通信制御装置１００は、ネットワーク管理装置２００から送信された情報が、通信端末５１０によって指定された「接続条件」と合致するかを判定する。ここで、上述したように、通信端末５１０は、「通信端末５００が通信圏内に移動したら通知・接続」を「接続条件」としていることから、通信制御装置１００は、指定された「接続条件」と合致したと判定する。
【００６４】
ステップＳ７０において、通信制御装置１００は、通信端末５００との通信が可能なことを示す「通信可能通知」を通信端末５１０に送信する。具体的には、通信制御装置１００は、予約情報に含まれているメールアドレス宛てに、通信端末５００との通信が可能なことを示す電子メールを送信する。
【００６５】
ステップＳ８０において、通信端末５１０の利用者が、「通信可能通知」を受信したことを確認すると、通信端末５１０は、通信端末５００との通信路を設定することを通信制御装置１００に要求する。
【００６６】
ステップＳ９０において、通信制御装置１００は、通信端末５００と通信端末５１０との通信路を設定することを通信ノード３００ａに要求する。
【００６７】
ステップＳ１００において、通信ノード３００ａは、通信ノード３００ｂを介して、着信先の通信端末である通信端末５００に対して発呼し、通信端末５００との通信コネクションを設定する。
【００６８】
ステップＳ１１０において、通信ノード３００ａは、通信ノード３００ｃを介して、発信元の通信端末である通信端末５１０に発呼し、通信端末５１０との通信コネクションを設定する。
【００６９】
ステップＳ１２０において、通信ノード３００ａは、ステップＳ１００及びＳ１１０において設定した通信コネクションを結合して、通信端末５００と通信端末５１０との通信路を設定する。
【００７０】
ステップＳ１３０において、通信端末５００と通信端末５１０とは、ステップＳ１２０において設定された通信路を使用して通信を開始する。
【００７１】
なお、上述したステップＳ７０において、通信制御装置１００は、予約情報に含まれている接続条件、つまり「通信端末５００が通信圏内に移動したら通知・接続」することにに基づいて、「通信可能通知」を通信端末５１０に送信したが、通信端末５１０が、「接続条件」に「通知」を指定しない場合には、通信制御装置１００は、ステップＳ７０における「通信可能通知」を通信端末５１０に送信しなくてもよい。
【００７２】
また、上述したステップＳ１００において、通信端末５００との通信コネクションが設定できなかった場合、すなわち、ステップＳ５０において、通信端末５００が通信圏内に移動してから、ステップＳ１００における通信コネクションの設定までの間に、通信端末５００が再び通信圏外に移動した場合や、他の通信端末との通信路が設定されていた場合、つまり通信中である場合、通信制御装置１００は、通信端末５００との通信路が設定できなかった理由を通信端末５１０に通知することができる。
【００７３】
さらに、通信ノード３００ａは、ステップＳ１００において、着信先の通信端末である通信端末５００との通信コネクションを設定し、その後、ステップＳ１２０において、発信元の通信端末である通信端末５１０との通信コネクションを設定するため、着信先の通信端末との通信コネクションが設定できないにもかかわらず、通信端末５１０との通信コネクションを設定してしまうことを防止することができる。
【００７４】
なお、上述した本発明の実施形態では、電話端末を例として、電話端末間に通信路を設定することについて説明したが、本発明は、電話端末に限定されるものではなく、接続要求を送信することにより通信を開始する通信端末に対する通信サービスを提供する通信網全般に適用することができる。
【００７５】
（変更例）
図４に示した通信制御方法は、通信端末５１０が、通信制御装置１００に発呼し、通信端末５００との通信を予約する形態であったが、通信制御方法は、以下のように変更することができる。すなわち、通信端末５１０が、通信端末５００との接続要求を送信、つまり、発呼したものの、通信端末５００が通信を行えない状態にあるために、通信端末５００と通信端末５１０との通信路を設定できない場合、通信端末５１０は、通信端末５００との通信を通信制御装置１００に予約することもできる。
【００７６】
図５は、本変更例に係る通信シーケンスを示している。
【００７７】
ステップＳ２１０において、通信端末５１０は、通信ノード３００ｃを介して、通信端末５００との接続要求を通信ノード３００ａに送信、つまり、通信端末５００に対して発呼する。
【００７８】
ステップＳ２２０において、通信ノード３００ａは、通信ノード３００ｂを介して、通信端末５００との通信コネクションを設定し、通信端末５００と通信端末５１０との通信路を設定しようとするが、例えば、通信端末５００が通信圏内に在圏していないため、通信路の設定の処理を中止する。
【００７９】
ステップＳ２３０において、通信ノード３００ａは、通信端末５００と通信端末５１０との通信路の設定の処理を中止したことを通信制御装置１００に通知する。また、通信ノード３００ａは、ステップＳ２１０において設定された通信コネクションを通信制御装置１００に接続するとともに、通信端末５００の電話番号情報を通信制御装置１００に送信する。
【００８０】
ステップＳ２４０において、通信制御装置１００は、例えば、音声トーキーにより、ステップＳ２１０において設定された通信コネクションを用いて、通信端末５００との通信を予約するか否か問合せるメッセージを通信端末５１０に送信する。
【００８１】
ステップＳ２５０において、通信端末５１０は、通信制御装置１００からの音声トーキーにしたがって、PB信号を送信し、通信端末５００との接続条件を指定する。なお、通信制御装置１００は、ステップＳ２３０において通信ノード３００ａから送信された通信端末５００の電話番号情報を取得しているため、この場合、通信端末５１０は、着信先の通信端末の電話番号を指定しなくてもよい。
【００８２】
ステップＳ２６０において、通信制御装置１００は、通信端末５１０によって指定された内容を取得するとともに、当該内容を予約情報として格納する。
【００８３】
ステップＳ２７０において、通信制御装置１００は、予約情報が格納され、通信端末５００との通信の予約が完了したことを通信端末５１０に通知する。
【００８４】
以下、図４に示したステップＳ４０以降の通信シーケンスと同様の処理が実行される。
【００８５】
（作用・効果）
以上説明した本発明の実施形態によれば、通信制御装置１００のサービス起動条件判定部１０５が、着信先の通信端末である通信端末５００を特定する情報と、接続条件とから構成される予約情報に基づいて、通信端末５００の状態を判定し、通信端末５００の状態が、接続条件に合致する状態に変化した場合、通信ノード３００ａの呼制御部３０１とコネクション結合部３０３とが、通信端末５００と、通信端末５１０との通信路を設定する。
【００８６】
このため、通信端末５００が通信を行うことができない状態のときに、発信元の通信端末である通信端末５１０の利用者が、通信端末５００との接続要求を通信網に送信することを低減することができる。
【００８７】
さらに、本実施形態によれば、通信端末５００が通信を行うことができない状態にときに、通信端末５１０の利用者が、通信端末５００との接続要求を送信することが低減されるため、接続要求の数に対する接続完了数の割合、すなわち接続率が向上するとともに、処理することのできない接続要求によって通信網などに対する負荷が増大することを抑制することができる。
【００８８】
また、本実施形態によれば、着信先の通信端末の状態が、接続条件と合致する状態に変化した場合、通信制御装置１００と通信ノード３００ａとが、通信端末５００と通信端末５１０との間に通信路を設定するため、通信端末５１０の利用者は、通信端末５００に対して、適宜接続要求を送信、つまり再発呼する必要がなく、利用者の利便性が向上する。
【００８９】
さらに、本実施形態によれば、着信先の通信端末が通信を行うことができない場合に、発信元の通信端末が、接続要求を送信すると、通信制御装置１００が、当該接続要求の送信のために設定された通信コネクションを用いて、予約情報を取得するため、着信先の通信端末が通信を行うことができない場合でも、当該通信コネクションを有効に活用でき、いわゆる不完了呼を発生させないようにすることができる。
【００９０】
また、本実施形態によれば、複数の同一の通信端末との接続要求が、同時期に通信網に送信された場合にも、通信制御装置１００が、当該通信端末との通信の予約情報を取得することができるため、同一の通信端末との接続要求を複数並行して処理することができる。
【００９１】
さらに、本実施形態によれば、通信制御装置１００に対して、発信元及び着信先の通信端末を特定する情報を予約情報として登録することができるため、第三者の通信端末によって、登録された通信端末間において通信路を設定させることができる。
【００９２】
すなわち、本実施形態によれば、着信先の通信端末の状態の変化に応じて、通信網側から、自律的に通信路を設定したり、通信が可能になったことを通知したりすることができる。
【図面の簡単な説明】
【００９３】
【図１】本発明の実施形態に係る通信制御装置及び通信装置を含むネットワークの概略構成を示す図である。
【図２】本発明の実施形態に係る通信制御装置及び通信装置の論理ブロック構成を示す図である。
【図３】本発明の実施形態に係る予約情報の一例を示す図である。
【図４】本発明の実施形態に係る通信制御方法の一例を示す図である。
【図５】本発明の変更例に係る通信制御方法の一例を示す図である。
【符号の説明】
【００９４】
１００…通信制御装置、１０１…予約処理部、１０３…予約情報格納部、１０５…サービス起動条件判定部、１０７…サービス起動通知部、１０９…呼処理要求部、２００…ネットワーク管理装置、３００ａ，３００ｂ，３００ｃ…通信ノード、３０１…呼制御部、３０３…コネクション結合部、３０５…サービス開始要求部、４００…無線基地局、５００，５１０…通信端末
【図１】
2005086544.tif 000003
【図２】
2005086544.tif 000004
【図３】
2005086544.tif 000005
【図４】
2005086544.tif 000006
【図５】
2005086544.tif 000007